(57)【特許請求の範囲】
【請求項１】
下りリンク制御情報を含むＰＤＣＣＨを受信する受信部と、
前記ＰＤＣＣＨの検出に基づいて、トランスポートブロックを含むＰＵＳＣＨを送信する送信部と、を備え、
前記送信部は、ＲＲＣ層のパラメータＴＴＩｂｕｎｄｌｉｎｇがＴＲＵＥに設定されている場合、バンドル内において前記ＰＵＳＣＨの送信に対するフィードバックを待たずにＰＵＳＣＨノンアダプティブ再送信をトリガーし、
前記トランスポートブロックのサイズは、前記ＲＲＣ層のパラメータＴＴＩｂｕｎｄｌｉｎｇがＴＲＵＥに設定されているかどうかに少なくとも基づいて与えられ、
前記ＲＲＣ層のパラメータＴＴＩｂｕｎｄｌｉｎｇがＴＲＵＥに設定されていない場合、前記トランスポートブロックのサイズはトランスポートブロックサイズインデックスの値と特定の値とに基づいて与えられ、当該特定の値は、スペシャルサブフレームのＵｐＰＴＳと上りリンクサブフレームのどちらで前記トランスポートブロックが送信されるかに少なくとも基づく計算により与えられる
端末装置。
【請求項２】
前記ＲＲＣ層のパラメータＴＴＩｂｕｎｄｌｉｎｇがＴＲＵＥに設定されている場合、前記トランスポートブロックのサイズはトランスポートブロックサイズインデックスの値と特定の値とに基づいて与えられ、当該特定の値は、前記上りリンクサブフレームと前記ＵｐＰＴＳのどちらで前記トランスポートブロックが送信されるかに係わらず適用される計算により与えられる
請求項１に記載の端末装置。
【請求項３】
下りリンク制御情報を含むＰＤＣＣＨを、端末装置に送信する送信部と、
前記ＰＤＣＣＨの送信に基づいて、トランスポートブロックを含むＰＵＳＣＨを、前記端末装置から受信する受信部と、を備え、
前記端末装置に対してＲＲＣ層のパラメータＴＴＩｂｕｎｄｌｉｎｇがＴＲＵＥに設定されている場合、前記受信部は、前記端末装置によってバンドル内において前記ＰＵＳＣＨの送信に対するフィードバックを待たずに送信されたＰＵＳＣＨノンアダプティブ再送信を受信し、
前記トランスポートブロックのサイズは、前記端末装置に対して前記ＲＲＣ層のパラメータＴＴＩｂｕｎｄｌｉｎｇがＴＲＵＥに設定されているかどうかに少なくとも基づいて与えられ、
前記端末装置に対して前記ＲＲＣ層のパラメータＴＴＩｂｕｎｄｌｉｎｇがＴＲＵＥに設定されていない場合、前記トランスポートブロックのサイズはトランスポートブロックサイズインデックスの値と特定の値とに基づいて与えられ、当該特定の値は、スペシャルサブフレームのＵｐＰＴＳと上りリンクサブフレームのどちらで前記トランスポートブロックが送信されるかに少なくとも基づく計算により与えられる
基地局装置。
【請求項４】
前記端末装置に対して前記ＲＲＣ層のパラメータＴＴＩｂｕｎｄｌｉｎｇがＴＲＵＥに設定されている場合、前記トランスポートブロックのサイズはトランスポートブロックサイズインデックスの値と特定の値とに基づいて与えられ、当該特定の値は、前記上りリンクサブフレームと前記ＵｐＰＴＳのどちらで前記トランスポートブロックが送信されるかに係わらず適用される計算により与えられる
請求項３に記載の基地局装置。
【請求項５】
端末装置に用いられる通信方法であって、
下りリンク制御情報を含むＰＤＣＣＨを受信し、
前記ＰＤＣＣＨの検出に基づいて、トランスポートブロックを含むＰＵＳＣＨを送信し、
ＲＲＣ層のパラメータＴＴＩｂｕｎｄｌｉｎｇがＴＲＵＥに設定されている場合、バンドル内において前記ＰＵＳＣＨの送信に対するフィードバックを待たずにＰＵＳＣＨノンアダプティブ再送信をトリガーし、
前記トランスポートブロックのサイズは、前記ＲＲＣ層のパラメータＴＴＩｂｕｎｄｌｉｎｇがＴＲＵＥに設定されているかどうかに少なくとも基づいて与えられ、
前記ＲＲＣ層のパラメータＴＴＩｂｕｎｄｌｉｎｇがＴＲＵＥに設定されていない場合、前記トランスポートブロックのサイズはトランスポートブロックサイズインデックスの値と特定の値とに基づいて与えられ、当該特定の値は、スペシャルサブフレームのＵｐＰＴＳと上りリンクサブフレームのどちらで前記トランスポートブロックが送信されるかに少なくとも基づく計算により与えられる
通信方法。
【請求項６】
前記ＲＲＣ層のパラメータＴＴＩｂｕｎｄｌｉｎｇがＴＲＵＥに設定されている場合、前記トランスポートブロックのサイズはトランスポートブロックサイズインデックスの値と特定の値とに基づいて与えられ、当該特定の値は、前記上りリンクサブフレームと前記ＵｐＰＴＳのどちらで前記トランスポートブロックが送信されるかに係わらず適用される計算により与えられる
請求項５に記載の通信方法。
【請求項７】
基地局装置に用いられる通信方法であって、
下りリンク制御情報を含むＰＤＣＣＨを、端末装置に送信し、
前記ＰＤＣＣＨの送信に基づいて、トランスポートブロックを含むＰＵＳＣＨを、前記端末装置から受信し、
前記端末装置に対してＲＲＣ層のパラメータＴＴＩｂｕｎｄｌｉｎｇがＴＲＵＥに設定されている場合、前記端末装置によってバンドル内において前記ＰＵＳＣＨの送信に対するフィードバックを待たずに送信されたＰＵＳＣＨノンアダプティブ再送信を受信し、
前記トランスポートブロックのサイズは、前記端末装置に対して前記ＲＲＣ層のパラメータＴＴＩｂｕｎｄｌｉｎｇがＴＲＵＥに設定されているかどうかに少なくとも基づいて与えられ、
前記端末装置に対して前記ＲＲＣ層のパラメータＴＴＩｂｕｎｄｌｉｎｇがＴＲＵＥに設定されていない場合、前記トランスポートブロックのサイズはトランスポートブロックサイズインデックスの値と特定の値とに基づいて与えられ、当該特定の値は、スペシャルサブフレームのＵｐＰＴＳと上りリンクサブフレームのどちらで前記トランスポートブロックが送信されるかに少なくとも基づく計算により与えられる
通信方法。
【請求項８】
前記端末装置に対して前記ＲＲＣ層のパラメータＴＴＩｂｕｎｄｌｉｎｇがＴＲＵＥに設定されている場合、前記トランスポートブロックのサイズはトランスポートブロックサイズインデックスの値と特定の値とに基づいて与えられ、当該特定の値は、前記上りリンクサブフレームと前記ＵｐＰＴＳのどちらで前記トランスポートブロックが送信されるかに係わらず適用される計算により与えられる
請求項７に記載の通信方法。
【発明の詳細な説明】
【技術分野】
【０００１】
本発明は、端末装置、基地局装置、通信方法、および、集積回路に関する。
本願は、２０１６年９月１４日に日本に出願された特願２０１６−１７９２５６号について優先権を主張し、その内容をここに援用する。
【背景技術】
【０００２】
セルラー移動通信の無線アクセス方式および無線ネットワーク（以下、「Long Term Evolution （LTE, 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。【０００４】
３ＧＰＰにおいて、上りリンクのキャパシティの強化のために、スペシャルサブフレームのＵｐＰＴＳにおいてＰＵＳＣＨを送信することが検討されている（非特許文献１）。
【先行技術文献】
【非特許文献】
【０００５】
【非特許文献１】"Motivation for New Work Item Proposal: UL transmission Enhancement for LTE", R1-160226, CMCC, 3GPP TSG RAN Meeting#71, Gothenburg, Sweden, 7th - 10th March 2016.
【非特許文献２】"3GPP TS 36.211 V12.5.0 (2015-03)", 26th March, 2015.
【非特許文献３】"3GPP TS 36.213 V12.5.0 (2015-03)", 26th March, 2015.
【発明の概要】
【発明が解決しようとする課題】
【０００６】
本発明の一態様は、上りリンク信号を用いて効率的に基地局装置と通信することができる端末装置、該端末装置と通信する基地局装置、該端末装置に用いられる通信方法、該基地局装置に用いられる通信方法、該端末装置に実装される集積回路、該基地局装置に実装される集積回路を提供する。ここで、当該上りリンク信号は、ＰＵＳＣＨ、ＳＲＳ、および／または、ＰＲＡＣＨを含んでもよい。
【課題を解決するための手段】
【０００７】
（１）本発明の態様は、以下のような手段を講じた。すなわち、本発明の第１の態様は、端末装置であって、下りリンク制御情報を含むＰＤＣＣＨを受信する受信部と、前記ＰＤＣＣＨの検出に基づいて、トランスポートブロックを含むＰＵＳＣＨを送信する送信部と、を備え、前記送信部は、ＲＲＣ層のパラメータＴＴＩｂｕｎｄｌｉｎｇがＴＲＵＥに設定されている場合、バンドル内において前の送信に対するフィードバックを待たずにノンアダプティブ再送信をトリガーし、前記トランスポートブロックのサイズは、前記ＲＲＣ層のパラメータＴＴＩｂｕｎｄｌｉｎｇがＴＲＵＥに設定されているかどうかに少なくとも基づいて与えられる。【０００８】
（２）本発明の第２の態様は、基地局装置であって、下りリンク制御情報を含むＰＤＣＣＨを、端末装置に送信する送信部と、前記ＰＤＣＣＨの送信に基づいて、トランスポートブロックを含むＰＵＳＣＨを、前記端末装置から受信する受信部と、を備え、前記端末装置に対してＲＲＣ層のパラメータＴＴＩｂｕｎｄｌｉｎｇがＴＲＵＥに設定されている場合、前記端末装置によってバンドル内において前の送信に対するフィードバックを待たずにノンアダプティブ再送信がトリガーされ、前記トランスポートブロックのサイズは、前記端末装置に対して前記ＲＲＣ層のパラメータＴＴＩｂｕｎｄｌｉｎｇがＴＲＵＥに設定されているかどうかに少なくとも基づいて与えられる。【０００９】
（３）本発明の第３の態様は、端末装置に用いられる通信方法であって、下りリンク制御情報を含むＰＤＣＣＨを受信し、前記ＰＤＣＣＨの検出に基づいて、トランスポートブロックを含むＰＵＳＣＨを送信し、ＲＲＣ層のパラメータＴＴＩｂｕｎｄｌｉｎｇがＴＲＵＥに設定されている場合、バンドル内において前の送信に対するフィードバックを待たずにノンアダプティブ再送信をトリガーし、前記トランスポートブロックのサイズは、前記ＲＲＣ層のパラメータＴＴＩｂｕｎｄｌｉｎｇがＴＲＵＥに設定されているかどうかに少なくとも基づいて与えられる。【００１０】
（４）本発明の第４の態様は、基地局装置に用いられる通信方法であって、下りリンク制御情報を含むＰＤＣＣＨを端末装置に送信し、前記ＰＤＣＣＨの送信に基づいてトランスポートブロックを含むＰＵＳＣＨを前記端末装置から受信し、前記端末装置に対してＲＲＣ層のパラメータＴＴＩｂｕｎｄｌｉｎｇがＴＲＵＥに設定されている場合、前記端末装置によってバンドル内において前の送信に対するフィードバックを待たずにノンアダプティブ再送信がトリガーされ、前記トランスポートブロックのサイズは前記端末装置に対して前記ＲＲＣ層のパラメータＴＴＩｂｕｎｄｌｉｎｇがＴＲＵＥに設定されているかどうかに少なくとも基づいて与えられる。
【発明の効果】
【００１１】
この発明の一態様によれば、端末装置および基地局装置は互いに、上りリンク信号を用いて効率的に通信することができる。
【図面の簡単な説明】
【００１２】
【図１】本実施形態における無線通信システムの概念図である。
【図２】本実施形態における端末装置１の構成を示す概略ブロック図である。
【図３】本実施形態における基地局装置３の構成を示す概略ブロック図である。
【図４】本実施形態におけるフレーム構造タイプ２の無線フレームの概略構成を示す図である。
【図５】本実施形態における上りリンクスロットの概略構成を示す図である。
【図６】本実施形態における上りリンクサイクリックプリフィックス設定の一例を示す図である。
【図７】本実施形態におけるＵＬ／ＤＬ設定を示す図である。
【図８】本実施形態における上りリンクサブフレームの一例を示す図である。
【図９】本実施形態におけるスペシャルサブフレームの一例を示す図である。
【図１０】本実施形態における下りリンクにおけるノーマルＣＰに対するスペシャルサブフレーム設定（special subframe configuration）の一例を示す図である。
【図１１】本実施形態におけるバンドルの一例を示す図である。
【図１２】本実施形態におけるＰＤＣＣＨが検出されるサブフレームと、対応するＰＵＳＣＨ送信が調整および実行されるサブフレームの関係の第１の例を示す図である。
【図１３】本実施形態におけるＰＤＣＣＨが検出されるサブフレームと、対応するＰＵＳＣＨ送信が調整および実行されるサブフレームの関係の第１の例を示す図である。
【図１４】本実施形態におけるＰＤＣＣＨが検出されるサブフレームと、対応するＰＵＳＣＨ送信が調整および実行されるサブフレームの関係の第２の例を示す図である。
【図１５】本実施形態におけるＰＤＣＣＨが検出されるサブフレームと、対応するＰＵＳＣＨ送信が調整および実行されるサブフレームの関係の第２の例を示す図である。
【図１６】本実施形態におけるＰＵＳＣＨに対するスケジューリング情報の取得方法の一例を示す図である。
【図１７】本実施形態のＭＣＳインデックス（ＩＭＣＳ）、（Ｑ’ｍ）、トランスポートブロックサイズインデックス（ＩＴＢＳ）、および、冗長バージョン（ｒｖｉｄｘ）の対応表を示す図である。
【図１８】本実施形態のＰ、トランスポートブロックサイズインデックス（ＩＴＢＳ）、および、トランスポートブロックサイズの対応を示す図である。
【図１９】本実施形態におけるコードワード（トランスポートブロック）の符号化の処理の一例を示す図である。
【図２０】本実施形態におけるレートマッチングの一例を示す図である。
【図２１】本実施形態のビット選択および除去の一例を示す図である。
【図２２】本実施形態におけるバンドルと冗長バージョンの対応の一例を示す図である。
【発明を実施するための形態】
【００１３】
以下、本発明の実施形態について説明する。
【００１４】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１という。
【００１５】
以下、キャリアアグリゲーションについて説明する。
【００１６】
端末装置１は、複数のサービングセルが設定されてもよい。端末装置１が複数のサービングセルを介して通信する技術をセルアグリゲーション、またはキャリアアグリゲーションと称する。端末装置１に対して設定される複数のサービングセルのそれぞれにおいて、本発明の一態様が適用されてもよい。また、設定された複数のサービングセルの一部において、本発明の一態様が適用されてもよい。また、設定された複数のサービングセルのグループのそれぞれにおいて、本発明の一態様が適用されてもよい。また、設定された複数のサービングセルのグループの一部において、本発明の一態様が適用されてもよい。キャリアアグリゲーションにおいて、設定された複数のサービングセルを集約されたサービングセルとも称する。
【００１７】
本実施形態の無線通信システムは、ＴＤＤ（Time Division Duplex）および／またはＦＤＤ（Frequency Division Duplex）が適用される。セルアグリゲーションの場合には、複数のサービングセルの全てに対してＴＤＤが適用されてもよい。また、セルアグリゲーションの場合には、ＴＤＤが適用されるサービングセルとＦＤＤが適用されるサービングセルが集約されてもよい。本実施形態において、ＴＤＤが適用されるサービングセルをＴＤＤサービングセル、または、フレーム構造タイプ２を用いるサービングセルとも称する。
【００１８】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００１９】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。ＴＤＤにおいて、上りリンクにおいてサービングセルに対応するキャリアと、下りリンクにおいてサービングセルに対応するキャリアは同じである。
【００２０】
端末装置１は、同じバンドにおいて集約される複数のＴＤＤサービングセル（コンポーネントキャリア）において、複数の物理チャネル／複数の物理シグナルの同時送信を行うことができる。端末装置１は、同じバンドにおいて集約される複数のＴＤＤサービングセル（コンポーネントキャリア）において、複数の物理チャネル／複数の物理シグナルの同時受信を行うことができる。
【００２１】
本実施形態の物理チャネルおよび物理シグナルについて説明する。
【００２２】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、上りリンク制御情報（Uplink Control Information: UCI）を送信するために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。
【００２３】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００２４】
ＰＵＳＣＨに対して、ＱＰＳＫ（Quadrature Phase Shift Keying）、１６ＱＡＭ（Quadrature Amplitude Modulation）、６４ＱＡＭ、および、２５６ＱＡＭのうちの何れかが適用される。ＱＰＳＫは、搬送波の位相を変更・調整することによってデータを伝達する変調方式である。ＱＡＭは、同相（in-phase）搬送波および直角位相（quadrature）搬送波の振幅及び位相を変更・調整することによってデータを伝達する変調方式である。
【００２５】
ＱＰＳＫの変調次数（modulation order）は２である。１６ＱＡＭの変調次数は４である。６４ＱＡＭの変調次数は６である。２５６ＱＡＭの変調次数は８である。変調次数は、１つの変調シンボルによって伝送されるビットの数である。
【００２６】
本実施形態において、変調次数が２のシンボルはＱＰＳＫシンボルを意味し、変調次数が４のシンボルは１６ＱＡＭを意味し、変調次数６のシンボルは６４ＱＡＭシンボルを意味し、変調次数が８のシンボルは２５６ＱＡＭシンボルを意味する。すなわち、ＰＵＳＣＨに対する変調次数が２の場合には該ＰＵＳＣＨに対してＱＰＳＫが適用され、ＰＵＳＣＨに対する変調次数が４の場合には該ＰＵＳＣＨに対して１６ＱＡＭが適用され、ＰＵＳＣＨに対する変調次数が６の場合には該ＰＵＳＣＨに対して６４ＱＡＭが適用され、且つ、ＰＵＳＣＨに対する変調次数が８の場合には該ＰＵＳＣＨに対して２５６ＱＡＭが適用される。
【００２７】
ＰＲＡＣＨは、ランダムアクセスプリアンブルを送信するために用いられる。
【００２８】
図１において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（Demodulation Reference Signal）
・ＳＲＳ（Sounding Reference Signal / Sounding Reference Symbol）
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００２９】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡ（Single Carrier-Frequency Division Multiple Access）シンボル、または、ＵｐＰＴＳにおけるＳＣ−ＦＤＭＡシンボルにおいて送信される。
【００３０】
ＳＲＳ送信は、上位層シグナル、および／または、ＤＣＩフォーマットによってトリガーされる。上位層シグナルによるトリガーをトリガータイプ０とも称する。ＤＣＩフォーマットによるトリガーをトリガータイプ１とも称する。
【００３１】
トリガータイプ０に対応するＳＲＳは、上位層シグナルによって示された第１のリソース（サブフレーム、および、ＳＣ−ＦＤＭＡシンボル）において送信される。トリガータイプ１に対応するＳＲＳは、上位層シグナルによって示された第２のリソース（サブフレーム、および、ＳＣ−ＦＤＭＡシンボル）において送信される。１つのＤＣＩフォーマットに基づくトリガーに応じて、トリガータイプ１に対応するＳＲＳは１回だけ送信される。
【００３２】
１つの端末装置１は、１つのＵｐＰＴＳにおける複数のＳＣ−ＦＤＭＡシンボルのそれぞれにおいてＳＲＳを送信してもよい。１つの端末装置１は、１つのＵｐＰＴＳにおける複数のＳＣ−ＦＤＭＡシンボルのそれぞれにおいて、トリガータイプ０に対応するＳＲＳを送信してもよい。ここで、該１つのＵｐＰＴＳにおける該複数のＳＣ−ＦＤＭＡシンボルは、時間領域において連続しているのが好ましい。基地局装置３は、第１のリソースとして、ＵｐＰＴＳにおける連続する複数のＳＣ−ＦＤＭＡシンボルを示す情報を、端末装置１に送信してもよい。
【００３３】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
ＰＢＣＨは、端末装置１で共通に用いられるマスターインフォメーションブロック（Master Information Block: MIB, Broadcast Channel: BCH）を報知するために用いられる。
【００３４】
ＰＣＦＩＣＨは、ＰＤＣＣＨの送信に用いられる領域（ＯＦＤＭシンボル）を指示する情報を送信するために用いられる。
【００３５】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３６】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００３７】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。
【００３８】
上位層（ＲＲＣ層）パラメータttiBundlingが設定されていない場合、上りリンクグラントは、単一のセル内の単一のＰＵＳＣＨのスケジューリングに用いられてもよい。上りリンクグラントは、該上りリンクグラントが送信されたサブフレームより４つ以上後のサブフレーム内の単一のＰＵＳＣＨのスケジューリングに用いられる。ＰＤＣＣＨで送信される上りリンクグラントを、ＤＣＩフォーマット０とも称する。
【００３９】
上位層（ＲＲＣ層）パラメータttiBundlingが設定されている場合、１つの上りリンクグラントは、単一のセル内の４つの連続するサブフレームにおける４つのＰＵＳＣＨ送信のスケジューリングのために用いられてもよい。該４つのＰＵＳＣＨのセットをバンドルとも称する。該４つのＰＵＳＣＨ送信は、同じＨＡＲＱプロセス、および、同じトランスポートブロック（上りリンクデータ）に対応する。該４つのＰＵＳＣＨ送信は、１つの初期送信、および、３つのノンアダプティブ再送信を含んでもよい。該４つの連続するサブフレームは、上りリンクサブフレーム、および、スペシャルサブフレームを含んでもよい。ここで、該４つの連続するサブフレームは、下りリンクサブフレームを含まない。すなわち、該４つの連続するサブフレームの間に下りリンクサブフレームが存在してもよい。該３つのノンアダプティブ再送信は、前の送信に対するフィードバック（上りリンクグラント、および、ＨＡＲＱフィードバック）を待たずにトリガーされる。
【００４０】
上位層（ＲＲＣ層）パラメータttiBundlingが設定されていることを、サブフレームバンドリングオペレーションが設定されているとも称する。上位層（ＲＲＣ層）パラメータttiBundlingが設定されていることを、上位層パラメータ（ＲＲＣ層）パラメータttiBundlingがＴＲＵＥまたはＥＮＡＢＬＥに設定されているとも称する。
【００４１】
下りリンクグラント、または、上りリンクグラントに付加されるＣＲＣパリティビットは、Ｃ−ＲＮＴＩ（Cell-Radio Network Temporary Identifier）、Ｔｅｍｐｏｒａｒｙ  Ｃ−ＲＮＴＩ、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置１を識別するために用いられる識別子である。
【００４２】
Ｃ−ＲＮＴＩ、および、Ｔｅｍｐｏｒａｒｙ  Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００４３】
ＰＤＳＣＨは、下りリンクデータ（Downlink Shared Channel: DL-SCH）を送信するために用いられる。
【００４４】
ＰＭＣＨは、マルチキャストデータ（Multicast Channel: MCH）を送信するために用いられる。
【００４５】
図１において、下りリンクの無線通信では、以下の下りリンク物理シグナルが用いられる。下りリンク物理シグナルは、上位層から出力された情報を送信するために使用されないが、物理層によって使用される。
・同期信号（Synchronization signal: SS）
・下りリンク参照信号（Downlink Reference Signal: DL RS）
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００４６】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００４７】
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００４８】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００４９】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、媒体アクセス制御（MAC: Medium Access Control）層において、ＭＡＣ  ＣＥ（Control Element）を送受信してもよい。ここで、ＲＲＣシグナリング、および／または、ＭＡＣ  ＣＥを、上位層の信号（higher layer signaling）とも称する。ＰＵＳＣＨおよびＰＤＳＣＨは、ＲＲＣシグナリング、および、ＭＡＣ  ＣＥを送信するために用いられる。
【００５０】
以下、本実施形態における装置の構成について説明する。
【００５１】
図２は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、ＳＰＳ制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００５２】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（PacketData Convergence Protocol: PDCP）層、無線リンク制御（Radio Link Control: RLC）層、無線リソース制御（Radio Resource Control: RRC）層の処理を行なう。
【００５３】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【００５４】
ここで、上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【００５５】
また、上位層処理部１０１が備えるＳＰＳ制御部１０１５は、各種設定情報、および、パラメータなどＳＰＳに関連する情報、状況に基づいて、ＳＰＳに関連する制御を行う。
【００５６】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００５７】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【００５８】
また、無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【００５９】
また、多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【００６０】
また、復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【００６１】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００６２】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【００６３】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【００６４】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【００６５】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【００６６】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００６７】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【００６８】
図３は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、ＳＰＳ制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００６９】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００７０】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【００７１】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【００７２】
また、上位層処理部３０１が備えるＳＰＳ制御部３０１５は、各種設定情報、および、パラメータなどＳＰＳに関連する情報、状況に基づいて、ＳＰＳに関連する制御を行う。
【００７３】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００７４】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【００７５】
また、無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【００７６】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【００７７】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【００７８】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【００７９】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【００８０】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【００８１】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【００８２】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【００８３】
端末装置１が備える部のそれぞれは、回路として構成されてもよい。基地局装置３が備える部のそれぞれは、回路として構成されてもよい。
【００８４】
図４は、本実施形態におけるフレーム構造タイプ２の無線フレームの概略構成を示す図である。フレーム構造タイプ２は、ＴＤＤに適用できる。図４において、横軸は時間軸である。
【００８５】
時間領域における種々のフィールドのサイズは、時間ユニットTs=1/(15000・2048)秒の数によって表現される。フレーム構造タイプ２の無線フレームの長さは、Tf=307200・Ts=10msである。フレーム構造タイプ２の無線フレームは、時間領域において連続する２つのハーフフレームを含む。それぞれのハーフフレームの長さは、Thalf-frame=153600・Ts=5msである。それぞれのハーフフレームは、時間領域において連続する５つのサブフレームを含む。それぞれのサブフレームの長さは、Tsubframe=30720・Ts=1msである。それぞれのサブフレームｉは、時間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。
【００８６】
以下、本実施形態のスロットの構成について説明する。図５は、本実施形態における上りリンクスロットの概略構成を示す図である。図５において、１つのセルにおける上りリンクスロットの構成を示す。図５において、横軸は時間軸であり、縦軸は周波数軸である。図５において、ｌはＳＣ−ＦＤＭＡシンボル番号／インデックスであり、ｋはサブキャリア番号／インデックスである。
【００８７】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００８８】
リソースグリッドは、アンテナポート毎に定義される。本実施形態では、１つのアンテナポートに対する説明を行う。複数のアンテナポートのそれぞれに対して、本実施形態が適用されてもよい。
【００８９】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡシンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。
【００９０】
端末装置１は、上りリンクにおけるＣＰ長を示すパラメータUL-CyclicPrefixLengthを基地局装置３から受信する。基地局装置３は、セルに対応する該パラメータUL-CyclicPrefixLengthを含むシステムインフォメーションを、該セルにおいて報知してもよい。
【００９１】
図６は、本実施形態における上りリンクサイクリックプリフィックス設定の一例を示す図である。NCP,lはスロットにおけるＳＣ−ＦＤＭＡシンボルｌに対する上りリンクＣＰ長を示す。上りリンクサイクリックプリフィックス設定（UL-CyclicPrefixLength）がノーマルＣＰである場合、l=0に対してNCP,0=160である。ＣＰ長を除くＳＣ−ＦＤＭＡシンボルｌの長さは、2048・Tsであり、ＣＰ長を含むＳＣ−ＦＤＭＡシンボルｌの長さは、(NCP,l +2048)・Tsである。
【００９２】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領域における（物理）リソースブロックサイズである。本実施形態において、サブキャリア間隔Δfは１５ｋＨｚであり、NRBscは１２である。すなわち、本実施形態においてNRBscは、１８０ｋＨｚである。
【００９３】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB-1）が付けられる。
【００９４】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される点を除いて基本的に同じであるため、下りリンクのスロットの構成の説明は省略する。
【００９５】
ＴＤＤサービングセルにおいて、該ＴＤＤサービングセルに対する上りリンク帯域幅設定の値と、該ＴＤＤサービングセルに対する下りリンク帯域幅設定の値は同じである。
【００９６】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００９７】
上りリンクスロットにおけるＳＣ−ＦＤＭＡシンボルｌにおける時間-連続（time-continuous）シグナルsl (t)は、数式（１）によって与えられる。数式（１）は、上りリンク物理シグナル、および、ＰＲＡＣＨを除く上りリンク物理チャネルに適用される。
【００９８】
【数１】
0006732922.tif 000002
【００９９】
ここで、ak,lは、リソースエレメント（ｋ，ｌ）のコンテンツである。スロットにおけるＳＣ−ＦＤＭＡシンボルは、ｌ＝０からスタートし、ｌの昇順で送信される。ＳＣ−ＦＤＭＡシンボルｌ＞０は、スロット内における数式（２）によって定義される時間にスタートする。
【０１００】
【数２】
0006732922.tif 000003
【０１０１】
以下、本実施形態のＵＬ／ＤＬ設定（uplink/downlink configuration）について説明する。
【０１０２】
フレーム構造タイプ２に対して、以下の３つのタイプのサブフレームが定義される。
・下りリンクサブフレーム
・上りリンクサブフレーム
・スペシャルサブフレーム
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【０１０３】
フレーム構造タイプ２の無線フレームは、少なくとも下りリンクサブフレーム、上りリンクサブフレーム、およびスペシャルサブフレームから構成される。フレーム構造タイプ２の無線フレームの構成は、ＵＬ／ＤＬ設定によって示される。端末装置１は、基地局装置３からＵＬ／ＤＬ設定を示す情報を受信する。基地局装置３は、セルに対応するＵＬ／ＤＬ設定を示す情報を含むシステムインフォメーションを、該セルにおいて報知してもよい。
【０１０４】
図７は、本実施形態におけるＵＬ／ＤＬ設定を示す図である。図７は１つの無線フレームにおけるＵＬ／ＤＬ設定を示す。図７において、Ｄは下りリンクサブフレームを示し、Ｕは上りリンクサブフレームを示し、Ｓはスペシャルサブフレームを示す。
【０１０５】
ＦＤＤにおいて全てのサブフレームが、下りリンクサブフレームである。ＦＤＤにおいて全てのサブフレームが上りリンクサブフレームである。
【０１０６】
図８は、本実施形態における上りリンクサブフレームの一例を示す図である。図９は、本実施形態におけるスペシャルサブフレームの一例を示す図である。図８、および、図９において、横軸は時間軸であり、縦軸は周波数軸である。図８、および、図９において、下りリンクサイクリックプリフィックス設定、および、上りリンクサイクリックプリフィックス設定は、ノーマルサイクリックプリフィックスである。
【０１０７】
ＤｗＰＴＳは、スペシャルサブフレームの最初のシンボルを含む。ＵｐＰＴＳは、スペシャルサブフレームの最後のシンボルを含む。ＧＰは、ＤｗＰＴＳとＵｐＰＴＳの間に存在する。端末装置１は、ＧＰの間に、下りリンクの受信処理から上りリンクの送信処理への切り替えを行ってもよい。ＵｐＰＴＳにおいて、ＰＵＳＣＨ、ＳＲＳ、および、ＰＲＡＣＨが送信される。
【０１０８】
図１０は、本実施形態における下りリンクにおけるノーマルＣＰに対するスペシャルサブフレーム設定（special subframe configuration）の一例を示す図である。下りリンクにおけるノーマルＣＰに対するスペシャルサブフレーム設定が０である場合、ＤｗＰＴＳの長さは6592・Tsであり、ＤｗＰＴＳはノーマルＣＰを含む３つのＯＦＤＭシンボルを含む。下りリンクにおけるノーマルＣＰに対するスペシャルサブフレーム設定が０であり、上りリンクＣＰ設定（uplink cyclic prefix configuration）がノーマルＣＰである場合、ＵｐＰＴＳの長さは(1+X)・2192・Tsであり、ＵｐＰＴＳはノーマルＣＰを含む（１＋Ｘ）のＳＣ−ＦＤＭＡシンボルを含む。
【０１０９】
当該Ｘは、ＵｐＰＴＳ内の追加されたＳＣ−ＦＤＭＡシンボルの数である。当該Ｘの値は、基地局装置３から受信したＲＲＣ層のパラメータUpPtsAddに基づいて与えられてもよい。当該Ｘのデフォルト値は０であってもよい。すなわち、当該ＲＲＣ層のパラメータによって当該Ｘの値が設定されない場合、当該Ｘの値は０であってもよい。追加されたＳＣ−ＦＤＭＡシンボルを、拡張されたＳＣ−ＦＤＭＡシンボルとも称する。（１＋Ｘ）の１は、当該ＲＲＣ層のパラメータUpPtsAddに基づいてＵｐＰＴＳ内の追加されていないＳＣ−ＦＤＭＡシンボルの数である。
【０１１０】
当該ＲＲＣ層のパラメータUpPtsAddは、パラメータsrs-UpPtsAdd、パラメータpusch-UpPtsAdd、および、パラメータpucch-UpPtsAddを含んでもよい。パラメータsrs-UpPtsAddに基づいて追加されたＵｐＰＴＳにおいてＳＲＳが送信されてもよい。パラメータsrs-UpPtsAddに基づいて追加されたＵｐＰＴＳにおいてＰＵＳＣＨおよびＰＵＣＣＨは送信されない。パラメータpusch-UpPtsAddに基づいて追加されたＵｐＰＴＳにおいてＰＵＳＣＨおよびＳＲＳが送信されてもよい。パラメータpusch-UpPtsAddに基づいて追加されたＵｐＰＴＳにおいてＰＵＣＣＨは送信されない。パラメータpucch-UpPtsAddに基づいて追加されたＵｐＰＴＳにおいてＰＵＳＣＨ、ＰＵＣＣＨおよびＳＲＳが送信されてもよい。
【０１１１】
当該ＲＲＣ層のパラメータUpPtsAddに基づいて追加されていないＵｐＰＴＳにおいてＳＲＳが送信されてもよい。当該ＲＲＣ層のパラメータUpPtsAddに基づいて追加されていないＵｐＰＴＳにおいてＰＵＳＣＨ、および、ＰＵＣＣＨは送信されない。
【０１１２】
すなわち、基地局装置３は、端末装置１が追加されたＵｐＰＴＳフィールドにおいてＰＵＳＣＨ、および、ＰＵＣＣＨを送信してよいかどうかを、ＲＲＣ層のパラメータを用いて制御してもよい。
【０１１３】
例えば、パラメータpusch-UpPtsAddの値が６である場合、（Ｙ＋Ｘ）の値は６である。当該Ｙは、１または２である。ここで、スペシャルサブフレーム設定が０の場合、Ｙの値は１であり、Ｘの値は５である。スペシャルサブフレーム設定が５または９の場合、Ｙの値は２であり、Ｘの値は４である。
【０１１４】
パラメータUpPtsAddは、当該パラメータUpPtsAddが対応するスペシャルサブフレームを示すパラメータを含んでもよい。あるサービングセルに対して、パラメータUpPtsAddは、全てのスペシャルサブフレームに適用されてもよい。あるサービングセルに対して、パラメータUpPtsAddは、一部のスペシャルサブフレームに適用されてもよい。例えば、サブフレーム番号１のスペシャルサブフレームに対してパラメータUpPtsAddが適用され、サブフレーム番号６のスペシャルサブフレームに対してパラメータUpPtsAddが適用されなくてもよい。すなわち、サブフレーム番号１のスペシャルサブフレームは追加されたＵｐＰＴＳを含んでもよく、サブフレーム番号６のスペシャルサブフレームは追加されていないＵｐＰＴＳを含んでもよい。
【０１１５】
図１１は、本実施形態におけるバンドルの一例を示す図である。図１１において、Ｉｎｉと付された四角はバンドル内の最初のＰＵＳＣＨ送信（初期送信）を示しており、Ｒｅと付された四角はバンドル内の２番目、３番目、および、４番目のＰＵＳＣＨ送信（ノンアダプティブ再送信）を示している。
【０１１６】
図１１の（Ａ）において、ＵＬ／ＤＬ設定は１であり、バンドル１１Ａはサブフレーム｛２、３、７、８｝に対応する。図１１の（Ａ）において、サブフレーム｛２、３、７、８｝は上りリンクサブフレームである。
【０１１７】
図１１の（Ｂ）において、ＵＬ／ＤＬ設定は２であり、バンドル１１Ｂはサブフレーム｛１、２、６、７｝に対応する。図１１の（Ｂ）において、サブフレーム｛２、７｝は上りリンクサブフレームであり、サブフレーム｛１、６｝はスペシャルサブフレームである。
【０１１８】
図１１の（Ｃ）において、ＵＬ／ＤＬ設定は３であり、バンドル１１Ｃはサブフレーム｛１、２、３、４｝に対応する。図１１の（Ｃ）において、サブフレーム｛２、３、４｝は上りリンクサブフレームであり、サブフレーム｛１｝はスペシャルサブフレームである。
【０１１９】
すなわち、バンドル毎に、バンドル内に含まれるスペシャルサブフレームの数、および、上りリンクサブフレームの数は異なってもよい。
【０１２０】
図１２、および、図１３は、本実施形態におけるＰＤＣＣＨが検出されるサブフレームと、対応するＰＵＳＣＨ送信が調整および実行されるサブフレームの関係の第１の例を示す図である。図１４、および、図１５は、本実施形態におけるＰＤＣＣＨが検出されるサブフレームと、対応するＰＵＳＣＨ送信が調整および実行されるサブフレームの関係の第２の例を示す図である。ここで、当該ＰＤＣＣＨは、下りリンク制御情報を含む。
【０１２１】
端末装置１は、サブフレームｎにおける下りリンク制御情報を含むＰＤＣＣＨの検出に基づいて、当該ＰＤＣＣＨに対応するＰＵＳＣＨ送信をサブフレームｎ＋ｋに調整する。当該ｋの値は、少なくともＵＬ／ＤＬ設定に応じて与えられる。端末装置１は、サブフレームｎにおける下りリンク制御情報を含むＰＤＣＣＨの検出に基づいて、当該ＰＤＣＣＨに対応するバンドル内の最初のＰＵＳＣＨ送信をサブフレームｎ＋ｋに調整する。当該ｋの値は、少なくともＵＬ／ＤＬ設定に応じて与えられる。
【０１２２】
端末装置１にスペシャルサブフレーム設定１０、パラメータpusch-UpPtsAdd、および、パラメータpucch-UpPtsAddが設定されていない場合、当該ｋの値は少なくとも図１２に基づいて与えられてもよい。図１３において、端末装置１は、サブフレーム番号３の下りリンクサブフレームにおける下りリンク制御情報を含むＰＤＣＣＨの検出に基づいて、当該下りリンク制御情報を含むＰＤＣＣＨに対応するＰＵＳＣＨ送信をサブフレーム番号７の上りリンクサブフレームに調整する。図１３において、端末装置１は、サブフレーム番号３の下りリンクサブフレームにおける下りリンク制御情報を含むＰＤＣＣＨの検出に基づいて、当該下りリンク制御情報を含むＰＤＣＣＨに対応するバンドル内の最初のＰＵＳＣＨ送信をサブフレーム番号７の上りリンクサブフレームに調整する。当該ｋの値が少なくとも図１２に基づいて与えられる場合、端末装置１は、対応するＰＵＳＣＨ送信をスペシャルサブフレームに調整することができない。
【０１２３】
端末装置１にスペシャルサブフレーム設定１０、パラメータpusch-UpPtsAdd、および、パラメータpucch-UpPtsAddが設定されていない場合、ＰＤＣＣＨで送信される下りリンク制御情報（上りリンクグラント）に対して、上りリンクサブフレームはＰＵＳＣＨ送信のために利用可能なサブフレームであり、スペシャルサブフレームはＰＵＳＣＨ送信のために利用可能なサブフレームではない。
【０１２４】
端末装置１にパラメータpusch-UpPtsAdd、または、パラメータpucch-UpPtsAddが設定されている場合、当該ｋの値は少なくとも図１４に基づいて与えられてもよい。図１５において、端末装置１は、サブフレーム番号１のスペシャルサブフレームにおける下りリンク制御情報を含むＰＤＣＣＨの検出に基づいて、当該下りリンク制御情報を含むＰＤＣＣＨに対応するＰＵＳＣＨ送信をサブフレーム番号６のスペシャルサブフレームに調整する。図１５において、端末装置１は、サブフレーム番号１のスペシャルサブフレームにおける下りリンク制御情報を含むＰＤＣＣＨの検出に基づいて、当該下りリンク制御情報を含むＰＤＣＣＨに対応するバンドル内の最初のＰＵＳＣＨ送信をサブフレーム番号６のスペシャルサブフレームに調整する。当該ｋの値が少なくとも図１４に基づいて与えられる場合、端末装置１は、対応するＰＵＳＣＨ送信をスペシャルサブフレームに調整することができる。
【０１２５】
端末装置１にパラメータpusch-UpPtsAdd、または、パラメータpucch-UpPtsAddが設定されている場合、または、端末装置１にスペシャルサブフレーム設定１０が設定されている場合、ＰＤＣＣＨで送信される下りリンク制御情報（上りリンクグラント）に対して、上りリンクサブフレーム、および、追加されたＵｐＰＴＳを含むスペシャルサブフレームはＰＵＳＣＨ送信のために利用可能なサブフレームである。ここで、追加されたＵｐＰＴＳを含まないスペシャルサブフレームは、ＰＵＳＣＨ送信のために利用可能なサブフレームではない。
【０１２６】
すなわち、端末装置１は、端末装置１にパラメータpusch-UpPtsAdd、または、パラメータpucch-UpPtsAddが設定されているかどうか、および、端末装置１にスペシャルサブフレーム設定１０が設定されているかどうかに基づいて、図１２の表、および、図１４の表の何れかに一方を選択し、少なくとも選択した表に基づいて、当該ｋの値を決定してもよい。ここで、端末装置１は、当該選択した表に基づいて、下りリンク制御情報（上りリンクグラント）を含むＰＤＣＣＨのモニタをしてもよい。
【０１２７】
端末装置１にパラメータpusch-UpPtsAdd、または、パラメータpucch-UpPtsAddが設定されている場合、バンドルはスペシャルサブフレームに対応してもよい。端末装置１にパラメータpusch-UpPtsAdd、および、パラメータpucch-UpPtsAddが設定されていない場合、バンドルは上りリンクサブフレームのみに対応する。すなわち、バンドルがスペシャルサブフレームに対応するかどうかは、パラメータpusch-UpPtsAdd、および／または、パラメータpucch-UpPtsAddに基づいて与えられてもよい。すなわち、バンドルが対応するスペシャルサブフレームの数は、パラメータpusch-UpPtsAdd、および／または、パラメータpucch-UpPtsAddに基づいて与えられてもよい。
【０１２８】
端末装置１にスペシャルサブフレーム設定１０が設定されている場合、バンドルはスペシャルサブフレームに対応してもよい。端末装置１に１０以外のスペシャルサブフレーム設定が設定されている場合、バンドルは上りリンクサブフレームのみに対応してもよい。すなわち、バンドルがスペシャルサブフレームに対応するかどうかは、スペシャルサブフレーム設定に基づいて与えられてもよい。すなわち、バンドルが対応するスペシャルサブフレームの数は、スペシャルサブフレーム設定に基づいて与えられてもよい。
【０１２９】
ＤＣＩフォーマット０は、（ａ）‘Resource block assignment and hopping resourceallocation’ field、（ｂ）‘Modulation and coding scheme and redundancy version’ field、および、（ｃ）‘New data indicator’ fieldを、少なくとも含む。
【０１３０】
端末装置１は、ＨＡＲＱプロセス毎に、Ｃ−ＲＮＴＩによってスクランブルされたＣＲＣパリティビットをともなうＤＣＩフォーマット０に含まれる（ｃ）ＮＤＩ（new data indicator）に基づいてＰＵＳＣＨの初期送信または再送信を行う。端末装置１は、ＮＤＩがトグルされていることに基づいて、ＰＵＳＣＨ／バンドル（トランスポートブロック）の初期送信を行う。端末装置１は、ＮＤＩがトグルされていないことに基づいて、ＰＵＳＣＨ／バンドル（トランスポートブロック）の再送信を行う。
【０１３１】
端末装置１は、ＨＡＲＱプロセス毎に、受信したＮＤＩの値をストアする。ＮＤＩがトグルされていることは、ストアされているＮＤＩの値と受信したＮＤＩの値が異なることを意味する。ＮＤＩがトグルされていないことは、ストアされているＮＤＩの値と受信したＮＤＩの値が同じことを意味する。
【０１３２】
図１６は、本実施形態におけるＰＵＳＣＨに対するスケジューリング情報の取得方法の一例を示す図である。ここで、スケジューリング情報は、割り当てられた物理リソースブロックの総数（ＮＰＲＢ）、変調次数（Ｑｍ）、冗長バージョン（ｒｖｉｄｘ）、トランスポートブロックサイズを含む。冗長バージョン（ｒｖｉｄｘ）は、ＰＵＳＣＨで送信されるトランスポートブロックの符号化（レートマッチング）のために用いられる。トランスポートブロックサイズは、トランスポートブロックのビット数である。端末装置１において、スケジューリング情報は、スケジューリング情報解釈部１０１３において取得されてもよい。基地局装置３において、スケジューリング情報は、スケジューリング部３０１３において取得／決定されてもよい。
【０１３３】
端末装置１は、図１６の処理を、サービングセル毎およびバンドル毎に行う。
【０１３４】
（１６００）端末装置１は、（ｂ）‘Modulation and coding scheme and redundancy version’fieldに少なくとも基づいて、ＰＵＳＣＨ／バンドルのためのＭＣＳインデックス（ＩＭＣＳ）を決定する。
【０１３５】
（１６０２）端末装置１は、（ａ）‘Resource block assignment and hopping resource allocation’ fieldに少なくとも基づいて、ＰＵＳＣＨ／バンドルに対して割り当てられた物理リソースブロックの総数（ＮＰＲＢ）を計算する。
【０１３６】
（１６０４）端末装置１は、１６００において決定されたＰＵＳＣＨのためのＭＣＳインデックス（ＩＭＣＳ）を少なくとも参照することによって、ＰＵＳＣＨのための変調次数（Ｑｍ）、ＰＵＳＣＨのためのトランスポーブロックサイズインデックス（ＩＴＢＳ）、および、ＰＵＳＣＨ／バンドルのための冗長バージョン（ｒｖｉｄｘ）を決定する。
【０１３７】
（１６０６）端末装置１は、１６０２において計算されたＰＵＳＣＨに対して割り当てられた物理リソースブロックの総数（ＮＰＲＢ）、および、１６０４において決定されたＰＵＳＣＨのためのＭＣＳインデックス（ＩＭＣＳ）を少なくとも参照することによって、ＰＵＳＣＨ／バンドルのためのトランスポートブロックサイズ（ＴＢＳ）を決定する。
【０１３８】
図１７は、本実施形態のＭＣＳインデックス（ＩＭＣＳ）、（Ｑ’ｍ）、トランスポートブロックサイズインデックス（ＩＴＢＳ）、および、冗長バージョン（ｒｖｉｄｘ）の対応表を示す図である。ここで、Ｑ’ｍは変調次数（Ｑｍ）を決定するために用いられる。例えば、変調次数（Ｑｍ）はＱ’ｍであってもよい。
【０１３９】
図１７において、ＭＣＳインデックス（ＩＭＣＳ）の値が０である場合、（Ｑ’ｍ）は８であり、トランスポートブロックサイズインデックス（ＩＴＢＳ）は３３であり、冗長バージョン（ｒｖｉｄｘ）は０である。図１７において、ＭＣＳインデックス（ＩＭＣＳ）の値が２９、３０、および、３１である場合、（Ｑ’ｍ）、および、トランスポートブロックサイズインデックス（ＩＴＢＳ）はリザーブされる。ＭＣＳインデックス（ＩＭＣＳ）の２９、３０、および、３１は、ＰＵＳＣＨの再送信のために用いられる。
【０１４０】
図１８は、本実施形態のＰ、トランスポートブロックサイズインデックス（ＩＴＢＳ）、および、トランスポートブロックサイズの対応を示す図である。Ｐは、割り当てられた物理リソースブロックの総数（ＮＰＲＢ）に少なくとも基づいて与えられる。図１８において、Ｐが１であり、ＰＵＳＣＨのためのトランスポートブロックサイズインデックス（ＩＴＢＳ）が０である場合、トランスポートブロックサイズは１６である。
【０１４１】
Ｐの値は、以下の数式（３）、数式（４）、および、数式（５）の何れかによって与えられてもよい。
【０１４２】
【数３】
0006732922.tif 000004
【０１４３】
【数４】
0006732922.tif 000005
【０１４４】
【数５】
0006732922.tif 000006
【０１４５】
ここで、ｆｏｏｒは、入力された値よりも小さい、且つ、最も大きい整数を出力する床関数である。ｍａｘは、入力された複数の値の中から最も大きい値を出力する関数である。αは０より大きく、１より小さい小数である。βは０より大きく、１より小さい小数である。αとβは異なる小数であってもよい。αとβの値は同じでもよい。例えば、αは０．５であってもよく、βは０．７５であってもよい。例えば、βはバンドルが対応するスペシャルサブフレームの数に基づいて与えられてもよい。すなわち、βは、スペシャルサブフレーム設定に少なくとも基づいて与えられてもよい。
【０１４６】
上位層（ＲＲＣ層）パラメータttiBundlingが設定されておらず、且つ、上りリンクサブフレームにおいてＰＵＳＣＨ送信が実行される場合、ＰＵＳＣＨ送信に対するＰは数式（３）によって与えられてもよい。
【０１４７】
上位層（ＲＲＣ層）パラメータttiBundlingが設定されておらず、且つ、スペシャルサブフレームにおいてＰＵＳＣＨ送信が実行される場合、ＰＵＳＣＨ送信に対するＰは数式（４）によって与えられてもよい。
【０１４８】
上位層（ＲＲＣ層）パラメータttiBundlingが設定されており、且つ、バンドルがスペシャルサブフレームに対応しない場合、バンドルに対するＰは数式（３）によって与えられてもよい。
【０１４９】
上位層（ＲＲＣ層）パラメータttiBundlingが設定されており、且つ、バンドルがスペシャルサブフレームに対応する場合、バンドルに対するＰは数式（５）によって与えられてもよい。
【０１５０】
上位層（ＲＲＣ層）パラメータttiBundlingが設定されている場合、バンドルに対するＰは数式（５）によって与えられてもよい。
【０１５１】
すなわち、Ｐは、（ｉ）パラメータttiBundlingが設定されているかどうか、（ｉｉ）スペシャルサブフレーム設定、（ｉｉｉ）バンドルがスペシャルサブフレームに対応しているかどうか、および／または、（ｉｖ）バンドルが対応するスペシャルサブフレームの数に、少なくとも基づいて与えられてもよい。
【０１５２】
以下、本実施形態における冗長バージョンrvidx∈｛０、１、２、３｝について説明する。
【０１５３】
端末装置１は、１６００において決定されたＰＵＳＣＨのためのＭＣＳインデックス（ＩＭＣＳ）を少なくとも参照することによって、バンドルに含まれる４つのＰＵＳＣＨ送信のそれぞれのための冗長バージョン（ｒｖｉｄｘ）を決定する。冗長バージョンは、トランスポートブロック（コードワード）の符号化に対して用いられる。トランスポートブロックはコードワードにマップされる。コードワードは符号化の単位である。
【０１５４】
以下、トランスポートブロック（コードワード）の符号化について説明をする。
【０１５５】
図１９は、本実施形態におけるコードワード（トランスポートブロック）の符号化の処理の一例を示す図である。図１９の処理は、トランスポートブロックのそれぞれに対して適用されてもよい。図１９の処理は、１つのバンドル内における送信のそれぞれに対して適用されてもよい。１つのトランスポートブロックは、１つのコードワードにマップされる。すなわち、トランスポートブロックを符号化することは、コードワードを符号化することと同一である。
【０１５６】
（ステップ１９１０）１つのコードワードに、対応するＣＲＣパリティビットを付加した後、コードワードを１つまたは複数のコードブロックに分割する。コードブロックのそれぞれには、対応するＣＲＣパリティビットが付加されてもよい。（ステップ１９１１）１つまたは複数のコードブロックのそれぞれは、符号化（例えば、ターボ符号化、畳み込み符号化、または、ＬＤＰＣ（Low Density Parity Check）符号化）される。
【０１５７】
（ステップ１９１２）コードブロックの符号化ビットの系列のそれぞれに対して、レートマッチングが適用される。当該レートマッチングは、冗長バージョンrvidxに応じて、実行される。
【０１５８】
（ステップ１９１３）レートマッチングが適用された１つまたは複数のコードブロックを連結することによって、コードワードの符号化ビットの系列が得られる。
【０１５９】
図２０は、本実施形態におけるレートマッチングの一例を示す図である。当該レートマッチングは、図１９のステップ１９１２において実行される。すなわち、レートマッチングは、トランスポートブロックのコードブロックに対して適用される。
【０１６０】
１つのレートマッチング（ステップ１９１２）は、３つのインタリーブ（ステップ１９１２ａ）、１つのビット収集（collection）（ステップ１９１２ｂ）、１つのビット選択および除去（selection and pruning）（ステップ１９１２ｃ）を含む。１つのレートマッチング（ステップ１９１２）には、チャネル符号化（ステップ１９１１）から、３つの情報ビットストリーム（d’k、d’’k、d’’’k）が入力される。ステップ１９１２ａにおいて、３つの情報ビットストリーム（d’k、d’’k、d’’’k）のそれぞれは、サブブロックインタリーバーに応じてインタリーブされる。３つの情報ビットストリーム（d’k、d’’k、d’’’k）のそれぞれをインタリーブすることによって、３つの出力系列（v’k、v’’k、v’’’k）が得られる。
【０１６１】
該サブブロックインタリーバーの列の数Csubblockは３２である。該サブフロックインタリーバーの行の数Rsubblockは、以下の不等式（６）を満たす最も小さい整数である。ここで、Dは情報ビットストリーム（d’k、d’’k、d’’’k）のそれぞれのビットの数である。
【０１６２】
【数６】
0006732922.tif 000007
【０１６３】
該サブブロックインタリーバーの出力系列（v’k、v’’k、v’’’k）のそれぞれのビットの数KΠは、以下の数式（７）によって与えられる。
【０１６４】
【数７】
0006732922.tif 000008
【０１６５】
ステップ１９１２ｂにおいて、３つの出力系列（v’k、v’’k、v’’’k）から、wk（virtual circular buffer）が得られる。wkは、以下の数式（８）によって与えられる。wkのビットの数Kwは、KΠの３倍である。
【０１６６】
【数８】
0006732922.tif 000009
【０１６７】
ステップ１９１２ｃ（ビット選択および除去）において、wkからレートマッチング出力ビット系列ekが得られる。レートマッチング出力ビット系列ekのビットの数はEである。図２１は、本実施形態のビット選択および除去の一例を示す図である。図２１のrvidxは、対応するトランスポートブロックの送信に対するＲＶ（redundancy version）番号である。図２１のNcbは、対応するコードブロックのためのソフトバッファサイズであり、ビットの数によって表現される。Ncbは以下の数式（９）によって与えられる。
【０１６８】
【数９】
0006732922.tif 000010
【０１６９】
ここで、Cは、図１９のコードブロックセグメンテーション（ステップ１９１０）において、１つのトランスポートブロックが分割されるコードブロックの数である。ここで、NIRは、対応するトランスポートブロックのためのソフトバッファサイズであり、ビットの数によって表現される。NIRは、以下の数式（１０）によって与えられる。
【０１７０】
【数１０】
0006732922.tif 000011
【０１７１】
ここで、端末装置１が、送信モード３、４、８、９、または１０に基づいてＰＤＳＣＨ送信を受信するよう設定されている場合、KMIMOは２であり、且つ、それ以外の場合、KMIMOは１である。KMIMOは、端末装置１が設定されている送信モードに基づいて受信される１つのＰＤＳＣＨ送信が含むことができるトランスポートブロックの最大数と同じである。
【０１７２】
ここで、MDL_HARQは、対応する１つのサービングセルにおいて並行して管理される下りリンクＨＡＲＱプロセスの最大数である。ＦＤＤサービングセルに対して、MDL_HARQは８であってもよい。ＴＤＤサービングセルに対して、MDL_HARQはＵＬ／ＤＬ設定に対応してもよい。ここで、Mlimitは８である。
【０１７３】
ここで、Kcは、｛１、３／２、２、３、および、５｝のうちの何れか１つである。Kcの設定方法の説明は省略する。
【０１７４】
ここで、Nsoftは、ＵＥカテゴリー、または、下りリンクＵＥカテゴリーに応じたソフトチャネルビットの総数である。Nsoftは、能力パラメータue-Category (without suffix)、能力パラメータue-Category-v1020、能力パラメータue-Category-v1170、および、能力パラメータue-CategoryDL-r12のうちの何れか１つによって与えられる。
【０１７５】
すなわち、冗長バージョンrvidxは、レートマッチングのために用いられるパラメータであり、ビット選択および除去のために用いられるパラメータである。
【０１７６】
以下、バンドル内におけるＰＵＳＣＨ送信のそれぞれのための冗長バージョンrvidxについて説明する。
【０１７７】
上りリンクグラントによってバンドルの再送信が指示される場合、ＭＣＳインデックス（ＩＭＣＳ）が対応する冗長バージョンrvidxは０から３の何れかである。例えば、上りリンクグラントによってバンドルの再送信が指示される場合、図１７においてＭＣＳインデックス（ＩＭＣＳ）は、０から３１の何れかである。
【０１７８】
上りリンクグラントによってバンドルの初期送信が指示される場合、ＭＣＳインデックス（ＩＭＣＳ）に対応する冗長バージョンrvidxは０である。例えば、バンドルの初期送信が指示される場合、図１７においてＭＣＳインデックス（ＩＭＣＳ）は、０から２８の何れかである。ここで、バンドルの初期送信は、１つのＰＵＳＣＨ初期送信と３つのＰＵＳＣＨノンアダプティブ再送信を含む。
【０１７９】
バンドル内における最初のＰＵＳＣＨ送信のための冗長バージョンrvidxは、１６００において決定されたＰＵＳＣＨのためのＭＣＳインデックス（ＩＭＣＳ）、および、バンドル内の最初のＰＵＳＣＨ送信が対応するサブフレームのタイプに、少なくとも基づいて与えられてもよい。
【０１８０】
（Ａ１）バンドル内の最初のＰＵＳＣＨ送信が対応するサブフレームが上りリンクサブフレームであり、且つ、ＭＣＳインデックス（ＩＭＣＳ）が対応する冗長バージョンが０である場合、バンドル内の最初のＰＵＳＣＨ送信のための冗長バージョンrvidxは０であってもよい。
【０１８１】
（Ａ２）バンドル内の最初のＰＵＳＣＨ送信が対応するサブフレームがスペシャルサブフレームであり、且つ、ＭＣＳインデックス（ＩＭＣＳ）が対応する冗長バージョンが０である場合、バンドル内の最初のＰＵＳＣＨ送信のための冗長バージョンrvidxは０以外の値（例えば、１）であってもよい。
【０１８２】
（Ａ３）ＭＣＳインデックス（ＩＭＣＳ）が対応する冗長バージョンが０以外の値である場合、バンドル内の最初のＰＵＳＣＨ送信が対応するサブフレームのタイプに係わらず、バンドル内の最初のＰＵＳＣＨ送信のための冗長バージョンrvidxは、ＭＣＳインデックス（ＩＭＣＳ）が対応する冗長バージョンの値であってもよい。
【０１８３】
（Ｂ１）バンドル内の最初のＰＵＳＣＨ送信が対応するサブフレームが上りリンクサブフレームであり、且つ、バンドルが初期送信される場合、バンドル内の最初のＰＵＳＣＨ送信のための冗長バージョンrvidxは０であってもよい。ここで、ＭＣＳインデックス（ＩＭＣＳ）が対応する冗長バージョンは０である。
【０１８４】
（Ｂ２）バンドル内の最初のＰＵＳＣＨ送信が対応するサブフレームがスペシャルサブフレームであり、且つ、バンドルが初期送信される場合、バンドル内の最初のＰＵＳＣＨ送信のための冗長バージョンrvidxは０以外の値（例えば、１）であってもよい。ここで、ＭＣＳインデックス（ＩＭＣＳ）が対応する冗長バージョンは０である。
【０１８５】
（Ｂ３）バンドルが再送信される場合、バンドル内の最初のＰＵＳＣＨ送信が対応するサブフレームのタイプに係わらず、ＭＣＳインデックス（ＩＭＣＳ）が対応する冗長バージョンの値であってもよい。ここで、ＭＣＳインデックス（ＩＭＣＳ）が対応する冗長バージョンは０から３の何れかである。
【０１８６】
端末装置１は、バンドル内の直前のＰＵＳＣＨ送信に対応する冗長バージョンをインクリメントしながらＰＵＳＣＨノンアダプティブ再送信を実行してもよい。冗長バージョンは、０、２、３、１の順にインクリメントされる。冗長バージョン１の次は、冗長バージョン０である。
【０１８７】
図２２は、本実施形態におけるバンドルと冗長バージョンの対応の一例を示す図である。図２２において、バンドル２２００、および、バンドル２２０２は初期送信である。図２２において、バンドル２２００に対応するＭＣＳインデックス（ＩＭＣＳ）は０である。図２２において、バンドル２２０２に対応するＭＣＳインデックス（ＩＭＣＳ）は０である。
【０１８８】
図２２において、バンドル２２００内の最初のＰＵＳＣＨはスペシャルサブフレーム１において送信される。図２２において、バンドル２２０２内の最初のＰＵＳＣＨは上りリンクサブフレーム２において送信される。バンドル２２００内の最初のＰＵＳＣＨ送信に対応する冗長バージョンは１であり、バンドル２２０２の最初のＰＵＳＣＨ送信に対応する冗長バージョンは０である。すなわち、バンドルの送信が開始されるタイミングによってバンドル内の最初のＰＵＳＣＨ送信に対応する冗長バージョンが与えられる。すなわち、バンドルの送信が開始されるサブフレームのタイプによってバンドル内の最初のＰＵＳＣＨ送信に対応する冗長バージョンが与えられる。
【０１８９】
以下、本実施形態における、端末装置１および基地局装置３の種々の態様について説明する。
【０１９０】
（１）本実施形態の第１の態様は、端末装置であって、バンドルが対応するスペシャルサブフレームの数に少なくとも基づいて、前記バンドルにおいて送信されるトランスポートブロックのサイズを取得するスケジューリング情報解釈部１０１３と、前記トランスポートブロックを含む前記バンドルの送信を実行する送信部１０７と、を備える。
【０１９１】
（２）本実施形態の第２の態様は、基地局装置であって、バンドルが対応するスペシャルサブフレームの数に少なくとも基づいて、端末装置によって前記バンドルにおいて送信されるトランスポートブロックのサイズを取得するスケジューリング部３０１３と、前記トランスポートブロックを含む前記バンドルの受信を実行する受信部３０５と、を備える。
【０１９２】
（３）本実施形態の第３の態様は、端末装置であって、バンドル内の最初のＰＵＳＣＨ送信が対応するサブフレームのタイプに少なくとも基づいて、バンドル内の最初の送信に対応する冗長バージョンを特定するスケジューリング情報解釈部１０１３と、前記バンドルの送信を実行する送信部１０７と、を備える。
【０１９３】
（４）本実施形態の第４の態様は、基地局装置であって、バンドルが対応するスペシャルサブフレームの数に少なくとも基づいて、端末装置によって前記バンドルにおいて送信されるトランスポートブロックのサイズを取得するスケジューリング部３０１３と、前記トランスポートブロックを含む前記バンドルの受信を実行する受信部３０５と、を備える。
【０１９４】
（５）本実施形態の第１から第４の態様において、前記バンドルの送信は、４つのＰＵＳＣＨ送信を含み、
前記４つのＰＵＳＣＨ送信のそれぞれは同じトランスポートブロックに対応する。
【０１９５】
（Ａ１）本発明の一態様は、端末装置であって、下りリンク制御情報を含むＰＤＣＣＨを受信する受信部と、前記ＰＤＣＣＨの検出に基づいて、トランスポートブロックを含むＰＵＳＣＨを送信する送信部と、を備え、前記送信部は、ＲＲＣ層のパラメータＴＴＩｂｕｎｄｌｉｎｇがＴＲＵＥに設定されている場合、バンドル内において前の送信に対するフィードバックを待たずにノンアダプティブ再送信をトリガーし、前記トランスポートブロックのサイズは、前記ＲＲＣ層のパラメータＴＴＩｂｕｎｄｌｉｎｇがＴＲＵＥに設定されているかどうかに少なくとも基づいて与えられる。
【０１９６】
（Ａ２）本発明の一態様は、基地局装置であって、下りリンク制御情報を含むＰＤＣＣＨを、端末装置に送信する送信部と、前記ＰＤＣＣＨの送信に基づいて、トランスポートブロックを含むＰＵＳＣＨを、前記端末装置から受信する受信部と、を備え、前記端末装置に対してＲＲＣ層のパラメータＴＴＩｂｕｎｄｌｉｎｇがＴＲＵＥに設定されている場合、前記端末装置によってバンドル内において前の送信に対するフィードバックを待たずにノンアダプティブ再送信がトリガーされ、前記トランスポートブロックのサイズは、前記端末装置に対して前記ＲＲＣ層のパラメータＴＴＩｂｕｎｄｌｉｎｇがＴＲＵＥに設定されているかどうかに少なくとも基づいて与えられる。
【０１９７】
（Ａ３）本発明の一態様は、端末装置に用いられる通信方法であって、下りリンク制御情報を含むＰＤＣＣＨを受信し、前記ＰＤＣＣＨの検出に基づいて、トランスポートブロックを含むＰＵＳＣＨを送信し、ＲＲＣ層のパラメータＴＴＩｂｕｎｄｌｉｎｇがＴＲＵＥに設定されている場合、バンドル内において前の送信に対するフィードバックを待たずにノンアダプティブ再送信をトリガーし、前記トランスポートブロックのサイズは、前記ＲＲＣ層のパラメータＴＴＩｂｕｎｄｌｉｎｇがＴＲＵＥに設定されているかどうかに少なくとも基づいて与えられる。
【０１９８】
（Ａ４）本発明の一態様は、基地局装置に用いられる通信方法であって、下りリンク制御情報を含むＰＤＣＣＨを端末装置に送信し、前記ＰＤＣＣＨの送信に基づいてトランスポートブロックを含むＰＵＳＣＨを前記端末装置から受信し、前記端末装置に対してＲＲＣ層のパラメータＴＴＩｂｕｎｄｌｉｎｇがＴＲＵＥに設定されている場合、前記端末装置によってバンドル内において前の送信に対するフィードバックを待たずにノンアダプティブ再送信がトリガーされ、前記トランスポートブロックのサイズは前記端末装置に対して前記ＲＲＣ層のパラメータＴＴＩｂｕｎｄｌｉｎｇがＴＲＵＥに設定されているかどうかに少なくとも基づいて与えられる。
【０１９９】
（Ａ５）本発明の一態様は、前記端末装置に対して前記ＲＲＣ層のパラメータＴＴＩｂｕｎｄｌｉｎｇがＴＲＵＥに設定されていない場合、前記トランスポートブロックのサイズは前記トランスポートブロックがスペシャルサブフレームのＵｐＰＴＳと上りリンクサブフレームのどちらで送信されるかに少なくとも基づいて与えられ、前記端末装置に対して前記ＲＲＣ層のパラメータＴＴＩｂｕｎｄｌｉｎｇがＴＲＵＥに設定されている場合、前記トランスポートブロックが前記上りリンクサブフレームと前記ＵｐＰＴＳのどちらで送信されるかに係わらず与えられる。
【０２００】
これにより、端末装置および基地局装置は互いに、上りリンクの信号を用いて効率的に通信することができる。
【０２０１】
本発明の一態様に関わる基地局装置３、および端末装置１で動作するプログラムは、本発明の一態様に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２０２】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２０３】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２０４】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２０５】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２０６】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２０７】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２０８】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、自動車、自転車、その他生活機器などの端末装置もしくは通信装置にも適用出来る。
【０２０９】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２１０】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０２１１】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  ＳＰＳ制御部
３０１１  無線リソース制御部
３０１３  スケジューリング部
３０１５  ＳＰＳ制御部
【図１】
0006732922.tif 000012
【図２】
0006732922.tif 000013
【図３】
0006732922.tif 000014
【図４】
0006732922.tif 000015
【図５】
0006732922.tif 000016
【図６】
0006732922.tif 000017
【図７】
0006732922.tif 000018
【図８】
0006732922.tif 000019
【図９】
0006732922.tif 000020
【図１０】
0006732922.tif 000021
【図１１】
0006732922.tif 000022
【図１２】
0006732922.tif 000023
【図１３】
0006732922.tif 000024
【図１４】
0006732922.tif 000025
【図１５】
0006732922.tif 000026
【図１６】
0006732922.tif 000027
【図１７】
0006732922.tif 000028
【図１８】
0006732922.tif 000029
【図１９】
0006732922.tif 000030
【図２０】
0006732922.tif 000031
【図２１】
0006732922.tif 000032
【図２２】
0006732922.tif 000033